(57)【要約】【課題】本発明は、軽量であり且つ製造コストが低いランプを提供することを目的とする。【解決手段】本発明のランプは、ランプ本体、複数の電子素子、電気接続部及び絶縁スリーブを備え、前記絶縁スリーブは、前記ランプ本体内に差し込まれる収容部、前記電気接続部に接続される固定部、前記固定部及び前記収容部を接続し且つ前記ランプ本体と前記電気接続部との間に位置する接続部からなり、前記固定部、前記接続部及び前記収容部は一体成形され、前記絶縁スリーブは前記電子素子を囲んで設けられる。【選択図】図５
2013109886.tif 000002
【特許請求の範囲】
【請求項１】
ランプ本体、電気接続部及び複数の電子素子を備えてなるランプであって、
前記ランプ本体内に差し込まれる収容部、前記電気接続部に接続される固定部、前記固定部及び前記収容部を接続し且つ前記ランプ本体と前記電気接続部との間に位置する接続部からなり、前記固定部、前記接続部及び前記収容部は一体成形される絶縁スリーブをさらに備え、前記絶縁スリーブは前記電子素子を囲んで設けられることを特徴とするランプ。
【請求項２】
前記固定部の外径は、前記収容部の外径より小さいことを特徴とする請求項１に記載のランプ。
【請求項３】
前記接続部は、前記ランプの外部に露出することを特徴とする請求項１又は２に記載のランプ。
【請求項４】
前記ランプ本体は、ランプカップ及び前記ランプカップの頂部に装着される発光モジュールを備え、前記ランプカップは、支持部及び前記支持部から一体に延在する放熱部を備え、前記絶縁スリーブの収容部は、前記放熱部内に位置し、前記放熱部の前記発光モジュールから離れている一端の内表面には、環状溝が設けられることを特徴とする請求項１〜３のいずれか一項に記載のランプ。
【請求項５】
前記収容部の外周面には、前記放熱部の環状溝に係合する環状係合部が設けられることを特徴とする請求項４に記載のランプ。
【請求項６】
前記接続部と前記収容部との接続箇所には、外側へ突出する環状の階段状部が設けられ、前記放熱部の底端は、前記階段状部に当接することを特徴とする請求項４又は５に記載のランプ。
【請求項７】
前記電子素子は基板に取り付けられ、前記基板の一端は前記固定部内に収容され、前記基板の他端は前記ランプカップの支持部の下表面に当接することを特徴とする請求項４〜６のいずれか一項に記載のランプ。
【請求項８】
前記固定部の内表面には、２つの支持収容部が対向して設けられ、前記基板の底部の二つの角は、２つの前記支持収容部に支持且つ収容されることを特徴とする請求項７に記載のランプ。
【発明の詳細な説明】
【技術分野】
【０００１】
本発明は、ランプに関するものである。
【背景技術】
【０００２】
従来のランプは、発光ユニットと、前記発光ユニットに駆動電圧を供給するために複数の電子素子を含む駆動回路モジュールと、を備える。通常、前記駆動回路モジュールが正常に作動しているにも関わらず、漏電又は短絡によってランプの動作環境が破壊される場合がある。このような問題を解決するために、通常大量の絶縁接着剤によって電子素子をパッケージすることで、漏電又は短絡現象を免れる。
【発明の概要】
【発明が解決しようとする課題】
【０００３】
しかし、大量の絶縁接着剤は、ランプ全体の重量を増加するばかりでなく、ランプの製造コストの向上を招く。
【０００４】
本発明の目的は、前記課題を解決し、軽量であり且つ製造コストが低いランプを提供することである。
【課題を解決するための手段】
【０００５】
本発明に係るランプは、ランプ本体、複数の電子素子、電気接続部及び絶縁スリーブを備え、前記絶縁スリーブは、前記ランプ本体内に差し込まれる収容部、前記電気接続部に接続される固定部、前記固定部及び前記収容部を接続し且つ前記ランプ本体と前記電気接続部との間に位置する接続部からなり、前記固定部、前記接続部及び前記収容部は一体成形され、前記絶縁スリーブは前記電子素子を囲んで設けられる。
【発明の効果】
【０００６】
本発明のランプは、絶縁スリーブによって従来のランプにおける絶縁接着剤を取り替えることにより、電子素子の漏電又は短絡を免れるばかりでなく、ランプ全体の重量が減少し、且つランプの製造コストも低減される。
【図面の簡単な説明】
【０００７】
【図１】本発明の実施形態に係るランプの組立図である。
【図２】図１に示すランプの分解図である。
【図３】図２に示すランプの別の視角からの分解図である。
【図４】図２に示すランプの絶縁スリーブの拡大図である。
【図５】図１に示すランプのＶ−Ｖ線に沿う断面図である。
【図６】図５に示すランプの局部拡大図である。
【発明を実施するための形態】
【０００８】
図１及び図２を参照すると、本発明の実施形態に係るランプは、ランプ本体１００と、前記ランプ本体１００の頂部に取り付けられるランプカバー２００と、前記ランプ本体１００の底部に位置する電気接続部３００と、前記ランプ本体１００の底端と前記電気接続部３００とを接続する絶縁スリーブ４００と、を備える。駆動回路モジュール１０は、前記絶縁スリーブ４００のキャビティ１３０内に収容される（図５を参照）。
【０００９】
図３を共に参照すると、前記ランプ本体１００は、ランプカップ１１０及び前記ランプカップ１１０の頂部に装着される発光モジュール１２０を備える。前記発光モジュール１２０は、ねじによって前記ランプカップ１１０の頂部に装着され且つ前記駆動回路モジュール１０に電気的に接続される。前記発光モジュール１２０は、発光ダイオード（ＬＥＤ）モジュールとすることができる。前記ランプカップ１１０は、アルミニウム、銅などの優れる熱伝導性能を有する材料から一体成形される。前記ランプカップ１１０は、円形の支持部１０１と、前記支持部１０１の周縁から上に向かって延在してなる環状の延在部１０２と、前記支持部１０１から下に向かって延在してなる中空の筒状の放熱部１０３と、を備える。前記放熱部１０３の外表面には、複数の放熱フィン１０５が互いに離間して設けられて、前記ランプカップ１１０が吸収した熱を放熱するために用いられる。前記放熱部１０３の底端の内表面には、環状溝１０６が設けられる。前記環状溝１０６の位置は、前記放熱部１０３の底端の内表面に限定されるものではなく、他の実施形態において、前記放熱部１０３の内表面に設ければよい。
【００１０】
前記ランプカバー２００は、片側が開口された中空の半球状であり、前記ランプカップ１１０の頂端に固定され、且つ前記発光モジュール１２０を覆う。前記ランプカバー２００は、ガラス、プラスチックなどのような透明材料からなる。
【００１１】
前記電気接続部３００は、外部電源（図示せず）に電気的に接続されてランプの作動に必要とされる電気エネルギーを供給するために用いられる口金であり、前記絶縁スリーブ４００の底部を囲むように設けられる。前記口金の底部の中央には、外部電源に電気的に接続される導電接続端子３１０が設けられる。前記口金の外周には、外部電源のソケットに接続するための外部ねじ山が設けられており、前記口金の内周には、前記絶縁スリーブ４００に接続するための内部ねじ山が設けられている。前記口金は、外部電源に電気的に接続されて、前記駆動回路モジュール１０を駆動させるために用いられる。前記口金は標準化された素子であり、前記ランプを用いて従来の白熱電球を直接に取り替えることができる。
【００１２】
前記駆動回路モジュール１０は、前記電気接続部３００に電気的に接続されており、基板１２及び前記基板１２に取り付けられている複数の電子素子１４を備える。本実施形態において、前記基板１２は矩形であるが、他の実施形態において、前記基板１２は他の形状とすることができる。
【００１３】
図４及び図５を参照すると、前記絶縁スリーブ４００は、プラスチックから一体成形された中空構造体であり、キャビティ１３０を有する。前記絶縁スリーブ４００の材料は、アクリロトリルブタジエンスチレン（ＡＢＳ）とすることができる。前記絶縁スリーブ４００は、その底部に位置するとともに外部ねじ山が設けられた固定部４１０と、前記固定部４１０の頂端から上に向って斜めに延在してなる接続部４２０と、前記接続部４２０の頂端から上に向って延在してなる収容部４３０と、を備える。前記接続部４２０の外径は、前記固定部４１０から前記収容部４３０に向かってだんだん大きくなる。前記固定部４１０の外径は、前記収容部４３０の外径より小さい。前記収容部４３０は、前記放熱部１０３の内部に収納されて装着される。前記固定部４１０の外部ねじ山は、前記電気接続部３００の内部ねじ山に螺合して、前記絶縁スリーブ４００の底部は、前記電気接続部３００に固定される。前記接続部４２０は、前記ランプ本体１００と前記電気接続部３００との間に位置する一方、前記ランプの外部に露出する。
【００１４】
図６を参照すると、前記固定部４１０の内表面には、２つの支持収容部４０１が対向して設けられる。各々の前記支持収容部４０１は、前記固定部４１０の内表面から水平方向へ突出する支持板４０２と、前記支持板４０２の両側に直交して接続される２つの側壁４０３と、を備える。前記支持板４０２及び２つの前記側壁４０３は、全て前記固定部４１０の内表面から一体に延在してなる。前記支持板４０２及び２つの前記側壁４０３によって、前記駆動回路モジュール１０の底部の一角を収容する収容空間を形成する。前記駆動回路モジュール１０の底部の二つの角は２つの前記支持収容部４０１に支持且つ収容され、前記駆動回路モジュール１０の頂端は前記ランプカップ１１０の支持部１０１の下表面１４０に当接するので、前記駆動回路モジュール１０の垂直方向に沿う移動が制限される一方で、前記駆動回路モジュール１０の回転も制限される。前記固定部４１０の底端には、切欠口４０６（図３及び図４を参照）が設けられている。前記駆動回路モジュール１０の導線が、前記固定部４１０の切欠口４０６を貫いて前記電気接続部３００に溶接されて、これにより前記駆動回路モジュール１０は、前記電気接続部３００に電気的に接続される。
【００１５】
前記絶縁スリーブ４００の接続部４２０と収容部４３０との接続箇所には、外側へ突出する環状の階段状部４０４が設けられる。前記放熱部１０３の底端は、前記階段状部４０４に当接する。前記階段状部４０４の位置は、前記接続部４２０と前記収容部４３０との接続箇所に限定されるものではなく、前記絶縁スリーブ４００の外周面から突出しており、前記放熱部１０３が前記収容部４３０の外周を囲むように設置される場合、前記放熱部１０３の底端が前記階段状部４０４に当接して、前記放熱部１０３の前記電気接続部３００に向かう移動を制限すればよい。前記収容部４３０の外周面には、前記放熱部１０３の環状溝１０６に対応する環状係合部４０５が設けられる。前記放熱部１０３の底部が前記階段状部４０４に当接する場合、前記環状係合部４０５は前記環状溝１０６に係合して、前記絶縁スリーブ４００は、前記ランプ本体１００に固定される。前記収容部４３０の厚さは、前記接続部４２０から上に向ってだんだん薄くなる。前記収容部４３０の頂端は、前記ランプカップ１１０の支持部１０１の下表面１４０に当接し、前記収容部４３０の側面は、前記放熱部１０３の内側に当接する。
【００１６】
前記駆動回路モジュール１０は、前記絶縁スリーブ４００のキャビティ１３０内に完全に収容されて、漏電又は短絡を免れることができる。前記絶縁スリーブ４００の材質及び形状は、需要に応じて調整することができ、絶縁効果を有していれば、前記駆動回路モジュール１０を覆うために用いることができる。
【００１７】
本発明のランプにおいて、絶縁材料からなる前記絶縁スリーブ４００は前記駆動回路モジュール１０を囲むように設けられて、これにより前記駆動回路モジュール１０は漏電又は短絡を免れることができ、且つ絶縁接着剤によって前記駆動回路モジュール１０をパッケージすることを必要としないので、前記ランプの軽量化を実現することができ、前記ランプの製造コストも減少する。
【００１８】
前記絶縁スリーブ４００の接続部４２０は、前記ランプ本体１００と前記電気接続部３００とを隔離絶縁するので、本発明のランプは優れる絶縁効果を有する。
【００１９】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２０】
１０  駆動回路モジュール
１２  基板
１４  電子素子
１００  ランプ本体
１０１  支持部
１０２  延在部
１０３  放熱部
１０５  放熱フィン
１０６  環状溝
１１０  ランプカップ
１２０  発光モジュール
１３０  キャビティ
１４０  下表面
２００  ランプカバー
３００  電気接続部
３１０  導電接続端子
４００  絶縁スリーブ
４０１  支持収容部
４０２  支持板
４０３  側壁
４０４  階段状部
４０５  環状係合部
４０６  切欠口
４１０  固定部
４２０  接続部
４３０  収容部
【図１】
2013109886.tif 000003
【図２】
2013109886.tif 000004
【図３】
2013109886.tif 000005
【図４】
2013109886.tif 000006
【図５】
2013109886.tif 000007
【図６】
2013109886.tif 000008